(57)【要約】【課題】複数の操作画面が関係する操作入力の例を参照する操作の操作性を高める。【解決手段】操作入力のための操作画面を表示する表示装置に、複数の操作画面が関係する操作入力の例を記憶する記憶部と、各操作画面の操作履歴情報とを対応づける管理テーブルと、指定された条件と操作履歴情報とが該当する操作画面を選択し、かつ選択した操作画面の再生順を当該条件に応じて入れ替える再生順決定部と、操作入力の例における前記順序決定部によって選択された操作画面に対応する部分を順序決定部による入れ替え後の順序で表わす映像を再生する再生部とを設ける。【選択図】図１２
2010210752.tif 000002
【特許請求の範囲】
【請求項１】
操作入力のための操作画面を表示する表示装置であって、
複数の操作画面が関係する操作入力の例を記憶する記憶部と、
前記複数の操作画面のそれぞれと各操作画面の操作履歴情報とを対応づける管理テーブルと、
操作入力により指定された条件と前記操作履歴情報とが該当する操作画面を前記複数の操作画面の中から選択し、かつ選択した操作画面の再生順を前記条件に応じて入れ替える再生順決定部と、
前記操作入力の例における前記順序決定部によって選択された操作画面に対応する部分を前記順序決定部による入れ替え後の順序で表わす映像を再生する再生部と、を備える
ことを特徴とする表示装置。
【請求項２】
前記映像の再生中の操作入力を受け付け、前記管理テーブルにおける当該操作入力に該当する操作画面の操作履歴情報を更新するテーブル管理部をさらに備える
請求項１記載の表示装置。
【請求項３】
さらに再生設定画面を操作画面として表示する画面表示部を備え、
再生設定画面は、前記操作入力の例の全体を表わす映像再生をするか設定変更操作が行われた操作画面に対応する部分のみを表わす映像再生をするかをユーザが選択するための操作キー、および再生順を入れ替えるルールをユーザが指定するための操作キーを有しており、
前記順序決定部は、前記再生設定画面における前記操作キーの操作内容を前記条件とする
請求項１または２記載の表示装置。
【請求項４】
前記管理テーブルは、ユーザごとに前記複数の操作画面のそれぞれと各操作画面の管理データとを対応づける
請求項１ないし３のいずれかに記載の表示装置。
【請求項５】
再生部は、前記操作履歴情報が示すモード変更の回数の大小に応じて、前記操作入力の例における再生する部分の表示時間を増減させる
請求項１ないし４のいずれかに記載の表示装置。
【請求項６】
請求項１ないし５のいずれかに記載の表示装置と、
前記表示装置による表示が行われるディスプレイを有した操作パネルとを備え、
前記操作パネルによって指定されたモードの画像形成動作を行う
ことを特徴とする画像形成装置。
【請求項７】
情報機器の操作を支援する方法であって、
複数の操作画面が関係する操作入力の例を記憶させ、
前記複数の操作画面のそれぞれと各操作画面の操作履歴情報とを対応づける管理テーブルを設け、
表示を制御する手段が、前記操作履歴情報が操作入力により指定された条件に該当する操作画面を前記複数の操作画面の中から選択させ、
選択された操作画面の再生順を前記条件に応じて入れ替えさせ、
前記操作入力の例における選択した操作画面に対応する部分を入れ替え後の順序で表わす映像を再生させる
ことを特徴とする操作支援方法。
【請求項８】
操作入力のための操作画面を表示する表示装置に用いられるコンピュータのためのコンピュータプログラムであって、
前記コンピュータによって実行されたときに、
操作入力の例に関係する前記複数の操作画面の中から、管理テーブルによって前記複数の操作画面のそれぞれと対応づけられた各操作画面の操作履歴情報が操作入力により指定された条件に該当する操作画面を選択し、かつ選択した操作画面の再生順を前記条件に応じて入れ替える再生順決定手段と、
前記操作入力の例における前記順序決定手段によって選択された操作画面に対応する部分を前記順序決定手段による入れ替え後の順序で表わす映像を再生する再生手段と、を実現させる
ことを特徴とするコンピュータプログラム。
【発明の詳細な説明】
【技術分野】
【０００１】
本発明は、操作入力のための操作画面を表示する装置に関する。
【背景技術】
【０００２】
ＯＡ（Office Automation）機器と呼ばれるビジネスユースの情報機器の一つに複合機がある。近年の複合機は、画像形成装置としての基本機能であるコピーやプリントに加えて、イメージ入力、ファクシミリ通信、メール送受、およびドキュメントの保存などの種々の機能を有した多機能周辺機器（ＭＦＰ：Multifunction Peripherals）として知られている。
【０００３】
複合機の操作パネルは、多様なモード設定に必要な多数の操作画面を選択的に表示するためのディスプレイを有する。複数の操作画面は階層化され、ユーザの使い勝手が良いように各操作画面に配置する操作キーおよび各操作画面の階層順位が選定されている。一般に、操作の項目が大中小というように体系的に分類され、大項目の選択や指定のための操作画面が階層の上位に配置され、より小さい項目の選択や指定のための操作画面がより下位に配置される。そして、操作画面の表示は上位から下位へと切り替えられる。ユーザは、上位の操作画面で適切に操作することにより、所望の下位の操作画面を表示させることができる。
【０００４】
複合機における特定のモード設定操作をユーザが容易に行うことができるようにする先行技術が特許文献１に開示されている。この技術は、モード設定に係る一連の操作における複数の段階の表示画像（操作画面）をキャプチャしてスクリーンデータとして記憶し、記憶しているスクリーンデータを所定の出力指示操作に呼応してプリントし、または表示する。スクリーンデータは操作の見本として記憶される。モード設定のための操作に不慣れなユーザは、プリントまたは表示されたスクリーンデータを見ながら操作を行うことができる。
【先行技術文献】
【特許文献】
【０００５】
【特許文献１】特開２００６−０６０４９９号公報
【発明の概要】
【発明が解決しようとする課題】
【０００６】
複合機または他の情報機器を複数のユーザが共用する場合がある。この場合において、複数の操作画面が関係する操作入力の例をテンプレートとして登録しておき、テンプレートとして登録されている一連の操作入力を各ユーザが適宜カスタマイズするといった機器の運用が考えられる。例えば、複合機のコピー動作に関して、部数や用紙サイズの指定、カラー／モノクロの選択、およびステープルで綴じたりパンチ穴をあけたりする仕上げの指定といった１つのジョブのモードを決める一連の操作入力をテンプレートとして登録しておく。ユーザは登録順に表示されるスクリーンデータ（キャプチャ画像）を見て各操作画面の入力例を確認し、必要に応じて所定の操作画面において設定を変更する。あるユーザは部数や用紙サイズを変更し、他のユーザは仕上げの指定に関して設定を変更する、というようにテンプレートの設定がカスタマイズされる。
【０００７】
しかし、スクリーンデータの表示順序を登録順に固定すると、ユーザがカスタマイズしたいと思う設定のための操作画面のスクリーンデータがなかなか表示されず、当該ユーザを待たせてしまうことがある。
【０００８】
本発明は、このような事情に鑑み、複数の操作画面が関係する操作入力の例を参照して行われる操作入力の操作性を高めることを目的としている。
【課題を解決するための手段】
【０００９】
上記目的を達成する装置は、操作入力のための操作画面を表示する表示装置であって、複数の操作画面が関係する操作入力の例を記憶する記憶部と、前記複数の操作画面のそれぞれと各操作画面の操作履歴情報とを対応づける管理テーブルと、操作入力により指定された条件と前記操作履歴情報とが該当する操作画面を前記複数の操作画面の中から選択し、かつ選択した操作画面の再生順を前記条件に応じて入れ替える再生順決定部と、前記操作入力の例における前記順序決定部によって選択された操作画面に対応する部分を前記順序決定部による入れ替え後の順序で表わす映像を再生する再生部と、を備える。
【発明の効果】
【００１０】
本発明によれば、複数の操作画面のそれぞれにおける操作入力の例がユーザによる指定に応じた順序で表示されるので、ユーザが表示を望む操作入力の例がなかなか表示されない状況の発生を低減することができる。
【図面の簡単な説明】
【００１１】
【図１】本発明の実施形態に係る表示装置を有した複合機のハードウェア構成を示す図である。
【図２】表示装置の機能構成を示す図である。
【図３】操作パネルの構成の一例を示す図である。
【図４】操作入力の例の登録処理の概要を示すフローチャートである。
【図５】動画管理テーブルのデータ構成を示す図である。
【図６】カラー設定画面における操作例を示す図である。
【図７】小冊子設定画面における操作例を示す図である。
【図８】動画選択画面における操作例を示す図である。
【図９】複合機の動作を示すフローチャートである。
【図１０】再生設定画面の一例を示す図である。
【図１１】モード変更管理テーブルのデータ構成を示す図である。
【図１２】操作画面の再生順の例を示す図である。
【図１３】モード変更管理テーブルのデータ構成の変形例を示す図である。
【図１４】操作画面の再生順の他の例を示す図である。
【図１５】複合機を有したネットワークの例を示す図である。
【図１６】モード変更管理テーブルのデータ構成の変形例を示す図である。
【図１７】映像再生の形態の変形例を示す図である。
【発明を実施するための形態】
【００１２】
操作画面による操作入力が行われる情報機器の一例として複合機を挙げる。複合機は画像形成装置やファクシミリ装置などとして利用可能なＭＦＰである。例示する複合機は、各種の動作設定のために複数の操作画面をユーザによる操作に応じて選択的に表示する。「ユーザ」という用語は操作者を意味する。操作画面は階層化されており、下位の操作画面は上位の操作画面で所定の操作が行われると表示される。複合機は、操作画面を切り替えて種々の動作設定をしようとするユーザを支援する機能として、ユーザが操作入力の例をテンプレートとして登録することができるようにする機能および登録された操作入力の例を表わす映像を再生する機能を有する。複合機のハードウェア構成を図１に示す。
【００１３】
図１のように複合機１は、操作パネル１０、イメージスキャナ１１、プリンタ１２、仕上げユニット（フィニッシャ）１２Ｂ、用紙ストッカ１３、電源回路１４、制御回路１５、画像処理回路１６、ファクシミリ通信モデム１７、外部接続インタフェース１８およびストレージ１９を備えており、操作パネル１０と制御回路１５とストレージ１９とで構成される表示装置２を含む。操作パネル１０には操作画面を表示するためのディスプレイ２１としてＬＣＤ(Liquid Crystal Display)が配置されている。イメージスキャナ１１はカラー原稿の読取りが可能である。プリンタ１３は、両面プリントのためのユニットを備えており、多段形式の用紙ストッカ１３から供給される用紙の片面または両面にモノクロまたはカラーの画像をプリントする。仕上げユニット１２Ｂは、ステープルによる中綴じを行う小冊子機能、ソート機能、パンチング機能などを実現する。電源回路１４は複合機１の随所に必要とされる電力を供給する。制御回路１５は、制御プログラムを記憶するＲＯＭ１５１、制御プログラムを実行するＣＰＵ（Central Processing Unit）１５２、およびプログラム実行のワークエリアとして用いられるＲＡＭ１５３を有する。画像処理回路１６はコピーやプリントにおけるビットマップ展開を含む種々の処理を担う。ファクシミリ通信モデム１７は公衆回線による通信に用いられる。外部接続インタフェース１８はＬＡＮケーブルとの接続に用いられる。ストレージ１９はハードディスクドライブのような大容量記憶デバイスである。ストレージ１９には、複合機１の制御に係わるデータを記憶するメモリ領域とともに、各種ドキュメントのファイルを保存するメモリ領域であるいわゆるボックスが設けられる。
【００１４】
図２のように表示装置２は、上述のディスプレイ２１、入力デバイス２２、操作画面記憶部２３、動画データ記憶部２４、再生順決定部２６、再生部２７、テーブル管理部２８、および画面表示部２９を有する。本実施形態の入力デバイス２２はタッチパネルである。タッチパネルはディスプレイ２１の表示面に重なり、操作者である複合機１のユーザがタッチした表示面内の位置に応じた信号を出力する。操作画面記憶部２３および動画データ記憶部２４は、ＲＡＭ１５３およびストレージ１９によって提供されるメモリ領域である。ＲＡＭ１５３はデータの一時的な記憶に用いられ、ストレージ１９は不揮発の記憶が必要なテーブルデータの記憶に用いられる。再生順決定部２６、再生部２７、テーブル管理部２８、および画面表示部２９は、画面表示用プログラムとそれを実行するコンピュータとしての上記ＣＰＵ１５２とで実現される機能要素である。
【００１５】
操作画面記憶部２３は、階層化された複数の操作画面のそれぞれを表示するための画像データを記憶する。操作画面には後述の再生設定画面が含まれる。操作画面記憶部２３は画面表示部２９によってアクセスされ、操作画面記憶部２３から読み出された画像データに基づいて操作画面が表示される。表示される操作画面は操作入力に応じて切り替えられる。
【００１６】
動画データ記憶部２４は、一つまたは複数の操作画面が関係する操作入力の例を表わす映像を再生するためのデータを記憶する。本実施形態では、後述する動画管理テーブルＴ１によって管理される制御データに基づいて、操作入力の例を登録する時の表示の遷移（操作画面の切り替わりおよび各画面の状態変化）が再現される。映像の再生とは、このような表示の再現を意味する。登録時と同じタイミングで画面が切り替わるように再現してもよいし、全体的に早めたり、モード変更の有無に応じて部分的に早めまたは遅くしたりしてもよい。複数の操作画面が関係する場合、再生される一連の映像は各操作画面に対応する部分を有する。登録時に何らかの操作（キー、ボタンまたはタブの押下）が行われた操作画面については、例えば押下されたキーが強調表示されるというように、操作に伴う表示変化が映像において表わされる。操作が行われなかった操作画面については、その操作画面が表示されるだけである。
【００１７】
また、動画データ記憶部２４はモード変更管理テーブルＴ２を記憶する。モード変更管理テーブルＴ２は、操作入力の例に関係する複数の操作画面のそれぞれと各操作画面の操作履歴情報であるモード変更回数とを対応づける。このモード変更回数は、各操作画面で行われたモード変更操作の累積回数を示し、映像再生における操作画面の再生順の決定に関与する。
【００１８】
再生順決定部２６は上記操作入力の例における再生する部分および再生順を決める。再生順決定部２６は、モード変更管理テーブルＴ２を参照し、再生設定画面での操作入力によってユーザが指定した条件に該当する操作履歴情報（モード変更回数）を探す。登録された操作入力の例に関係する複数の操作画面のうち、条件に該当する操作履歴情報に対応づけられている操作画面が再生の対象として選択される。再生順決定部２６は選択した操作画面の再生順をユーザが指定した条件に応じて入れ替える。詳細は後述する。
【００１９】
再生部２７は、登録された操作入力の例のうちの順序決定部２６によって選択された操作画面に対応する部分を順序決定部２６による入れ替え後の順序で表わす映像を再生する。再生に際して再生部２７は動画管理テーブルＴ１を参照する。
【００２０】
テーブル管理部２８は、操作入力に応じてモード変更管理テーブルＴ２を更新する。再生部２７による映像の再生中に操作入力が行われとき、テーブル管理部２８はその操作入力を受け付けて、モード変更管理テーブルＴ２における当該操作入力に該当する操作画面の操作履歴情報を更新する。
【００２１】
画面表示部２９はディスプレイ２１に操作画面を表示させる。表示には操作画面記憶部２３が記憶する複数の操作画面のデータが用いられる。ユーザによる操作に応じて画面表示部２９によって表示が切り替えられる。画面表示部２９は、表示している操作画面内の操作キーに対応する位置を示す信号が入力デバイス２２から入力されると、当該操作キーが押下されたと認識する。また、画面表示部２９はユーザから操作入力の例の登録開始が指示されると、それから登録終了が指示されるまでの間の表示の遷移を再現するのに必要な制御データを動画管理テーブルＴ１に書き込む。
【００２２】
以下に表示装置２の機能をさらに詳しく説明する。
【００２３】
図３のように操作パネル１０は、操作画面を表示するディスプレイ２１とその両側に配置された各種の固定操作キーとを有する。固定操作キーには、スタートキー１０１、ストップキー１０２、および操作入力の例の登録に係わるキャプチャキー１０３が含まれる。図３ではディスプレイ２１はコピー基本画面Ｑ１０を表示している。コピー基本画面Ｑ１０は、複合機１が複写機として動作するコピーモードにおける最上位の操作画面である。コピー基本画面Ｑ１０には、動作状態や部数の設定値を示すメッセージ欄２０１、コピーモードのジョブの詳細を決めるモード設定のための選択肢が並ぶメニュー２０２、およびジョブの登録状況を表示するジョブ表示欄２０３などが配置される。図３では「コピーできます」というメッセージが表示されている。この状態においてユーザがスタートキー１０１を押下すればコピージョブが開始される。
【００２４】
ユーザは、コピー基本画面Ｑ１０での操作入力から始めて操作画面を適宜切り替えて所望のモード設定をすることができる。その際にユーザは一連の操作入力の内容を操作のテンプレートとして登録することができる。登録のための処理は上述の画面表示部２９が担う。図４のフローチャートが示すように、登録処理は開始指示（例えば、キャプチャキー１０３の押下）があってから終了指示（例えば、ストップキー１０２の押下）があるまで実行され、表示された操作画面でモード設定が行われるごとに動画管理テーブルＴ１を更新する（＃１０１〜＃１０４）。
【００２５】
登録の具体例として、コピーモードにおいて次の（１）〜（８）のモードの設定および確認を目的とした操作が行われる場合を挙げる。
（１）カラーモードとして、ブラックを選択する。
（２）画質／濃度設定に関して、設定内容の確認のみを行い、デフォルト設定からの変更はしない。
（３）小冊子モードを指定する。
（４）スタンプ／ページ印字に関して、設定内容の確認のみを行い、デフォルト設定からの変更はしない。
（５）仕上げモードとして、中とじを選択する。
（６）用紙設定に関して、設定内容の確認のみを行い、デフォルト設定からの変更はしない。
（７）倍率設定に関して、設定内容の確認のみを行い、デフォルト設定からの変更はしない。
（８）部数に関して、２０部を指定する。
【００２６】
図５のように、動画管理テーブルＴ１には、各操作画面に付与されている画面番号と、その画面で押下された位置の座標情報と、モードの変更または設定の内容とが登録される。本実施形態では、さらに、階層化された操作画面のリンク状況を示すリンク情報も登録するようになっている。
【００２７】
なお、本実施形態では、コピー基本画面Ｑ１０内の「画質／濃度」および「応用」のタブの押下により表示される操作画面での操作キーの押下については、制御の便宜のために、実際に押下された操作画面の画面番号ではなく、コピー基本画面Ｑ１０の画面番号（例示では10200000）を登録する場合がある。
【００２８】
図５の動画管理テーブルＴ１における登録順１〜１７の各行は次の操作が行われたことを表わす。操作画面を描いた図においては、押下される操作キー・ボタン・タブが太い破線の囲みで表わされている。ただし、これは説明との対応を理解し易やすくする配慮であり、映像再生において太い破線の囲みが付加されることを意味するものではない。
登録順１：図３のようにコピー基本画面Ｑ１０においてカラー設定ボタン２３１を押下する。
登録順２：図６（Ａ）のようにカラー設定画面Ｑ１１においてブラックキー２６１４を押下する。
登録順３：図６（Ｂ）のようにカラー設定画面Ｑ１１において画質／濃度タブ２６３を押下する。
登録順４：図示しない画質／濃度設定画面からコピー基本画面Ｑ１０へ表示を戻す。
登録順５：コピー基本画面Ｑ１０において応用タブ２１４を押下する。
登録順６：図示しない応用設定画面において小冊子キーを押下する。
登録順７：図７のように小冊子設定画面Ｑ１２において、するキー２７１を押下する。
登録順８：図示しない応用設定画面においてスタンプ／ページ印字キーを押下する。
登録順９：図示しないスタンプ／ページ印字設定画面からコピー基本画面Ｑ１０へ表示を戻す。
登録順１０：コピー基本画面Ｑ１０において仕上りボタン２３５を押下する。
登録順１１：図示しない仕上がり設定画面において紙折り／中綴じボタンを押下する。
登録順１２：図示しない紙折り／中綴じ設定画面において中綴じを選択する。
登録順１３：コピー基本画面Ｑ１０において用紙設定ボタン２３２を押下する。
登録順１４：図示しない用紙設定画面からコピー基本画面Ｑ１０へ表示を戻す。
登録順１５：コピー基本画面Ｑ１０において倍率設定ボタン２３３を押下する。
登録順１６：図示しない倍率設定画面からコピー基本画面Ｑ１０へ表示を戻す。
登録順１７：操作パネル１０のテンキーによって部数を「２０」に設定する。
【００２９】
以上の一連の操作によるモード設定の内容が動画情報として動画データ記憶部２４に記憶される。その際にユーザは登録名を指定することができる。ここでは登録名が「小冊子」とされたものとする。
【００３０】
ユーザは図８に示される動画選択画面Ｑ１３において、自己または他のユーザが登録した複数の動画情報の中から映像再生で表示をさせる動画情報を選択することができる。例えば、図８の例示で選択肢キー２１７を押下すると、「小冊子」という名で登録された動画情報が再生対象に設定される。その後、ユーザが再生開始キー（例えばＯＫキー２７８の押下）を行うと、再生が始まる。ユーザは、再生される映像を見て各種のモード設定状態を確認し、必要に応じてモード設定を変更する。
【００３１】
次に図９のフローチャートを参照して複合機１の動作を説明する。
【００３２】
表示装置２は、ユーザの指示に従って再生する動画情報を選択し、再生開始の指示を待つ（＃２０１、＃２０２）。再生開始キーの押下に呼応して、表示装置２は再生順決定処理を行い、その後に再生を開始する（＃２０３、＃２０４）。再生順決定処理は、登録された動画情報に関係する複数の操作画面の再生順をユーザの指定条件に応じて入れ替える処理である。この処理について後に詳述する。
【００３３】
再生中または再生終了後にユーザがスタートキー１０１（図３参照）を押下すると、複合機１はジョブを開始する（＃２０５、＃２１１、＃２１２）。ジョブのモードは、登録された動画情報のままのモードまたはそれを基にして再生開始後に変更されたモードであり、複合機１の制御プログラムにより実現される図示しないジョブ管理部により設定される。再生対象として選択された動画情報に関係する全ての操作画面のうち再生されなかった操作画面がある場合、その操作画面に登録されているモードがジョブモードに設定される（＃２１１）。
【００３４】
再生中にスタートキー１０１が押下されなければ、表示装置２は再生を続ける（＃２０５〜＃２１０）。再生中において、順次表示される操作画面のいずれかが表示されている段階でその操作画面によるモードを変更する操作が行われた場合には、表示装置２が図１１に示すモード変更テーブルＴ２を更新し、ジョブ管理部が変更指示されたモードをジョブモードに設定する（＃２０５、＃２０６、＃２０８、＃２０９）。つまり、再生中のモード変更操作がジョブモードに反映される。一方、操作画面のいずれかが所定時間にわたって表示されている間に、その操作画面によるモードを変更する操作が行われなかった場合には、当該操作画面に登録されているモードがジョブモードに設定される（＃２０６、＃２０７）。
【００３５】
なお、本実施形態ではジョブモードが自動的に設定されるが、操作例の映像再生のみを自動で行い、ユーザがモード設定をする構成を採用してもよい。
【００３６】
再生順決定処理は、図１０に例示される再生設定画面Ｑ１４でのユーザの指定と図１１のモード変更管理テーブルＴ２とに応じて操作画面の再生順を決定する。再生設定画面Ｑ１４での指定項目は再生基準設定および再生ルール設定である。
【００３７】
再生基準設定は、選択した１つの動画情報（操作入力の例）の全体を再生する「全動画再生」か、またはモード変更のあった操作画面に対応する部分のみを再生する「モード変更有りのみ」を選択する設定である。設定には操作キー２８１，２８２が用いられる。図５の動画管理テーブルＴ１の例示では、スタンプ／ページ印字のようにユーザがモード設定をしないが（デフォルト設定のまま）、モードの確認のみをする操作画面が存在する。このような操作画面を再生対象から除外したいユーザは「モード変更有りのみ」を選択すればよい。
【００３８】
再生ルール設定は、再生する順を決定する上で、モード変更が多い操作画面を優先する「変更回数多い順」か、またはモード変更が少ない操作画面を優先する「変更回数少ない順」を選択する設定である。設定には操作キー２８３，２８４が用いられる。「変更回数多い順」を選択したユーザは、多くの場合において、早期に再生される操作画面で必要なモード設定を済ませ、その後は再生内容を確認するだけでよい。一方、ほとんどモード変更されていない操作画面は、高度な設定のための画面である場合が多いので、どのように設定すればよいかを模索しているようなユーザにとっては、「変更回数少ない順」の選択が有効であるといえる。
【００３９】
図１１のモード変更管理テーブルＴ２は、動画再生中にモード変更された回数をモード設定が行われる操作画面ごとに管理するものである。なお、このモード変更管理テーブルＴ２を図１６のモード変更管理テーブルＴ２ｃのようにユーザごとに且つ操作画面ごとにモード変更回数を管理する構成とすることができる。そうすれば、ユーザ認証で特定されるユーザに応じて再生順を変更することが可能となる。
【００４０】
図１２は、動画管理テーブルＴ１に図１１のモード変更管理テーブルＴ２を適用して決定された３通りの再生順１〜３を示している。
【００４１】
再生順１において、再生基準設定は「全動画再生」であり、再生ルール設定は「変更回数多い順」である。モード変更回数の多い画面番号90000000の“部数設定”および画面番号10227000の“画質／濃度設定”が優先的に再生される。
【００４２】
再生順２において、再生基準設定は「モード変更有りのみ」であり、再生ルール設定は「変更回数多い順」である。
再生順１と同様にモード変更回数が多い操作画面が優先的に再生され且つモードがデフォルトから変更されていない操作画面は再生対象から除外される。
【００４３】
再生順３において、再生基準設定は「全動画再生」であり、再生ルール設定は「変更回数少ない順」である。モード変更が少ない順に再生する。モード変更回数が同じ場合は、操作の登録時にデフォルトからモード変更されなかった操作画面を、モード変更された操作画面に対して優先的に再生する。
【００４４】
順序決定の変形として、図９のフローチャートのステップ＃２０６において、ユーザがモード変更はしないが優先的に再生させたい操作画面を指定した場合か否かをチェックすることができる。この変形においては図１３に例示されるモード変更管理テーブルＴ２ｂが順序決定に適用される。図１３の例では画面番号10215030の紙折り／中とじ設定画面に対して優先的な再生の指定がなされている。
【００４５】
図１４は、動画管理テーブルＴ１に図１３のモード変更管理テーブルＴ２ｂを適用して決定された再生順４を示している。
【００４６】
再生順４において、再生基準設定は「モード変更有りのみ」であり、再生ルール設定は「変更回数多い順」である。
優先的な再生が指定された紙折り／中とじ設定画面は、画面の階層に従って上位のコピー基本画面Ｑ１０（画面番号1020000）および仕上がり設定画面（画面番号10215000）の次に再生される。
【００４７】
以上の実施形態では、複合機１の内部に動画管理テーブルＴ１およびモード変更管理テーブルＴ２，Ｔ２ｂ，Ｔ２ｃを格納することを前提としているが、図１５に示すように、複合機１が接続されたネットワークにおけるサーバ９で操作例の動画再生に関するデータを管理してもよい。この場合は、複数の複合機１，１ｂがデータを共有し且つ使用することができる。モード変更管理テーブルＴ２，Ｔ２ｂ，Ｔ２ｃが示すモード変更の回数の大小に応じて、例えば回数が多い画面が少ない画面より短くというように、各操作画面の動画再生における表示時間を増減させてもよい。
【００４８】
また、上述の実施形態では、複合機１は操作入力の例を再現する動画情報を登録する機能を備えるが、動画情報をサービスセンターやユーザの所属する企業のＯＡ機器管理部署などに備わる外部の機器で作成し、複合機１が外部の機器から動画データを取得できるような形態でもよい。その動画情報は操作入力の例を表わす情報であればよい。上記実施形態のように画面表示の切り替えを規定する制御データに限らず、一連の操作を実写やＣＧ(Computer Graphics)などで表現するムービーデータであってもよいし、スライド形式で操作を表現する画像データであってもよい。
【００４９】
上述の実施形態によれば、動画管理テーブルＴ１で管理される制御データ（画面番号や座標情報）に基づいて登録時の表示の遷移を再現するので、特許文献１に記載されているように一連の操作における複数の段階で取得したキャプチャ画像を順に表示するのと比べて、映像再生のために記憶すべきデータのデータ量を大幅に低減することができる。また、再現表示された操作画面においてユーザがモード変更をすることができるので、ユーザは以前に登録したモード設定を部分的に変更するジョブを簡単な操作で複合機１に実行させることができる。キャプチャ画像を再生しかつ操作画面を表示するにはディスプレイを大型化しなければならないが、上述の実施形態ではその必要がない。ただし、過去の操作におけるキャプチャ画像を再生し、キャプチャ画像とモード変更をする操作画面とを切り替えて表示するようにしてもよい。キャプチャ画像の再生の様子の一例が図１７に示される。図１７の例では、再生画面Ｑ１３ｂ内に図７の小冊子設定画面Ｑ１２のキャプチャ画像ＶＱ１２が表示されている。
【符号の説明】
【００５０】
１    複合機（画像形成装置、情報機器）
２    表示装置
２４    動画データ記憶部（記憶部）
Ｔ２、Ｔ２ｂ，Ｔ２ｃ    モード変更管理テーブル（管理テーブル）
２６    再生順決定部
２７    再生部
２８    テーブル管理部
２９    画面表示部
Ｑ１４    再生設定画面
２１８〜２８４    操作キー
１０    操作パネル
２１    ディスプレイ
１２    プリンタ
【図１】
2010210752.tif 000003
【図２】
2010210752.tif 000004
【図３】
2010210752.tif 000005
【図４】
2010210752.tif 000006
【図５】
2010210752.tif 000007
【図６】
2010210752.tif 000008
【図７】
2010210752.tif 000009
【図８】
2010210752.tif 000010
【図９】
2010210752.tif 000011
【図１０】
2010210752.tif 000012
【図１１】
2010210752.tif 000013
【図１２】
2010210752.tif 000014
【図１３】
2010210752.tif 000015
【図１４】
2010210752.tif 000016
【図１５】
2010210752.tif 000017
【図１６】
2010210752.tif 000018
【図１７】
2010210752.tif 000019